(57)【要約】【課題】  カートリッジ２において、その遮光性能や防塵性能に影響を与えずに、流通上或いはライブラリー上での管理を容易にする識別情報の付与を実現すること。【解決手段】  ディスク状の感光性記録媒体４を上側シェル３１及び下側シェル３０により挟み込むようにして回転自在に収容するカートリッジ本体２５のディスク収容部３の外周部位で、カートリッジ本体２５内に、カートリッジ２の装置への挿入方向に対してデータ交信面１００ａを傾斜させた姿勢でＲＦＩＤタグ１００を装備し、非接触による識別情報の読み書きを可能にする。【選択図】  図１
2007087477.tif 000002
【特許請求の範囲】
【請求項１】
ディスク状の感光性記録媒体を上側シェル及び下側シェルにより挟み込むようにして回転自在に収容するカートリッジ本体と、このカートリッジ本体に設けられて感光性記録媒体を外部に露呈させる開口と、この開口を閉じる閉じ位置と開放する開き位置との間で移動自在となるように該カートリッジ本体に取り付けられているシャッタとを備えた感光性記録媒体用カートリッジであって、
前記感光性記録媒体を収容する前記カートリッジ本体のディスク収容部の外周部位で、前記カートリッジ本体内に、該感光性記録媒体用カートリッジの装置への挿入方向に対してデータ交信面を傾斜させた姿勢でＲＦＩＤタグを装備したことを特徴とする感光性記録媒体用カートリッジ。
【請求項２】
前記ＲＦＩＤタグのデータ交信面の傾斜角を、感光性記録媒体用カートリッジの装置への挿入方向に対して４５°に設定したことを特徴とする請求項１に記載の感光性記録媒体用カートリッジ。
【請求項３】
ディスク状の感光性記録媒体を上側シェル及び下側シェルにより挟み込むようにして回転自在に収容するカートリッジ本体と、このカートリッジ本体に設けられて感光性記録媒体を外部に露呈させる開口と、この開口を閉じる閉じ位置と開放する開き位置との間で移動自在となるように該カートリッジ本体に取り付けられているシャッタとを備えた感光性記録媒体用カートリッジに記録再生を行う記録再生装置であって、
前記カートリッジ本体のディスク収容部の外周部位で、前記カートリッジ本体内に、前記感光性記録媒体用カートリッジの装置への挿入方向に対してデータ交信面を傾斜させた姿勢で装備されたＲＦＩＤタグに対して情報の読み書きを行う情報交換部を備えたことを特徴とする記録再生装置。
【請求項４】
ディスク状の感光性記録媒体を上側シェル及び下側シェルにより挟み込むようにして回転自在に収容するカートリッジ本体と、このカートリッジ本体に設けられて感光性記録媒体を外部に露呈させる開口と、この開口を閉じる閉じ位置と開放する開き位置との間で移動自在となるように該カートリッジ本体に取り付けられているシャッタとを備えた感光性記録媒体用カートリッジに記録再生を行う記録再生方法であって、
前記カートリッジ本体のディスク収容部の外周部位で、前記カートリッジ本体内に、前記感光性記録媒体用カートリッジの装置への挿入方向に対してデータ交信面を傾斜させた姿勢で装備されたＲＦＩＤタグに対して情報の読み書きを行うことを特徴とする記録再生方法。
【請求項５】
ディスク状の感光性記録媒体を上側シェル及び下側シェルにより挟み込むようにして回転自在に収容するカートリッジ本体と、このカートリッジ本体に設けられて感光性記録媒体を外部に露呈させる開口と、この開口を閉じる閉じ位置と開放する開き位置との間で移動自在となるように該カートリッジ本体に取り付けられているシャッタとを備えた感光性記録媒体用カートリッジに記録再生を行う記録再生システムであって、
前記カートリッジ本体のディスク収容部の外周部位で、前記カートリッジ本体内に、前記感光性記録媒体用カートリッジの装置への挿入方向に対してデータ交信面を傾斜させた姿勢で装備されたＲＦＩＤタグに対して情報の読み書きを行うことを特徴とする記録再生システム。
【発明の詳細な説明】
【技術分野】
【０００１】
本発明は、特に感光性記録媒体を収容する感光性記録媒体用カートリッジに関し、更に詳しくは、感光性記録媒体としてホログラム記録媒体を収容する感光性記録媒体用カートリッジの遮光性能や防塵性能に影響を与えずに、流通上或いはライブラリー上での管理を容易にするための改良に関する。
【背景技術】
【０００２】
データをホログラムによって記録するホログラム記録媒体が発明されている（例えば、特許文献１参照）。
上記ホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。
【０００３】
ところで、上記ホログラム記録媒体は、例えば、保管中にホログラム記録層が曝光されたり、或いはホログラム記録層に塵芥が付着したりすることにより、そのデータの記録性能に悪影響が及ぶため、遮光機能及び防塵機能を有するカートリッジに収容された形態での取り扱いが不可欠になる。勿論、前記ホログラム記録層へデータの読み書きを行うデータ読み書き装置にセットする場合にも、不用意な曝光等を回避するため、カートリッジに収容された形態のままで装置に装填可能なことが不可欠になる。
【０００４】
そこで、このようなカートリッジとして、ホログラム記録媒体を上側シェル及び下側シェルにより挟み込むようにして回転自在に収容するカートリッジ本体と、このカートリッジ本体に設けられて前記ホログラム記録媒体の一部を外部に露呈させる開口と、この開口を開閉するシャッタとを備えた構成のものが各種提案されている（例えば特許文献２参照）。
【０００５】
【特許文献１】特開２００４−０２９４７６号公報
【特許文献１】特開２００３−３１７４２２号公報
【発明の開示】
【発明が解決しようとする課題】
【０００６】
ところで、上記ホログラム記録媒体は、データ記録容量等で従来普及している記録媒体よりも著しく優位にあるため、今後、加速度的に普及することが予想される。
そして、その際の流通分野における商品管理や、多数のホログラム記録媒体にデータを蓄積してライブラリーを形成した場合のデータの所在管理や、多数のライブラリーからの所望の記録媒体の検索抽出等を容易にするためには、前記カートリッジに管理に必要な識別情報を付与できるようにしておくことが必要不可欠になる。
【０００７】
ところが、従来のカートリッジでは、このような商品管理やデータの所在管理等についての配慮について記述したものがない。
そこで、現在、流通分野で普及しているバーコードによる管理技術の適用が検討されたが、次に示すような各種の問題点が指摘された。
【０００８】
第１には、バーコードを付与できる位置が制限され、包装容器等のパッケージデザインの自由度が低下するという問題である。
即ち、バーコードの装着にはかなり大きな専有面積を必要とするが、ホログラム記録媒体を収容するカートリッジは、厚さ寸法が数ミリメートルの薄型の矩形箱で、箱の表面又は裏面以外には、パーコードを付与するスペースが確保できない。従って、パーコードを付与する位置が、カートリッジの表面又は裏面に制限され、それによって、包装容器等のパッケージデザインの自由度が低下するという問題が生じる。
【０００９】
第２には、識別情報の読み取り時の作業性が悪いという問題である。
前述したようにカートリッジの箱の表面又は裏面にバーコードを付与した場合、多数のカートリッジを互いの表裏面が重なる状態に整列収容すると、付与したバーコードは隣接するカートリッジによって隠れてしまい、収容状態では、バーコードの読み取りができなくなる。
従って、例えば、ライブラリーや商品陳列棚等で多数のカートリッジが互いの表裏面を重ねて収容されている状態で、個々のカートリッジの識別情報の読み取りが必要となる時には、カートリッジを一つずつ取り出してバーコード読み取り機にかけなければならず、識別情報の読み取り時の作業性が悪いという問題が生じてしまう。
【００１０】
第３には、バーコードによる識別情報の付与では、情報の読出しが頻繁に繰り返されるような場合に、情報維持の信頼性が乏しいという問題である。
即ち、バーコードの付与は、例えばバーコードを印刷したシール等を、カートリッジの表面又は裏面、若しくは、カートリッジの包装容器の所定位置に貼付することで行うが、貼付したシールがカートリッジ取扱中の擦れで剥離したり、或いはシールを貼付した包装容器が廃棄されたりすることで、付与された識別情報が途中で紛失する可能性があり、ライブラリー等で各カートリッジに付与された識別情報の読み出しが頻繁に繰り返されるような用途では、情報維持の信頼性が乏しいという問題が生じる。
【００１１】
第４には、バーコードの読み出しの際には、前述したように、一つずつカートリッジの取り出しが必要となり、カートリッジへの接触回数が増えるため、不用意な接触による衝撃等でカートリッジが汚損したり、或いは、カートリッジに装備されたシャッタが動いて、カートリッジの遮光性能や防塵性能に悪影響を与えてしまう危険性が増大するという問題が生じる。
【００１２】
そこで、本発明の目的は上記課題を解消することに係り、識別情報の装備のために包装容器等のパッケージデザインの自由度が低下することがなく、また、識別情報の読み取り時の作業性も良く、しかも、識別情報の読み取りが頻繁に繰り返される用途でも識別情報を途中で紛失する虞がなく、識別情報の維持に高い信頼性を確保でき、さらには、識別情報の読み出しのためにカートリッジが汚損したりカートリッジの遮光性能や防塵性能が低下することもなく、流通上或いはライブラリー上での管理が容易にできる感光性記録媒体用カートリッジを提供することである。
【課題を解決するための手段】
【００１３】
本発明の上記目的は、下記構成によって達成される。
（１）ディスク状の感光性記録媒体を上側シェル及び下側シェルにより挟み込むようにして回転自在に収容するカートリッジ本体と、このカートリッジ本体に設けられて感光性記録媒体を外部に露呈させる開口と、この開口を閉じる閉じ位置と開放する開き位置との間で移動自在となるように該カートリッジ本体に取り付けられているシャッタとを備えた感光性記録媒体用カートリッジであって、前記感光性記録媒体を収容する前記カートリッジ本体のディスク収容部の外周部位で、前記カートリッジ本体内に、該感光性記録媒体用カートリッジの装置への挿入方向に対してデータ交信面を傾斜させた姿勢でＲＦＩＤタグを装備したことを特徴とする感光性記録媒体用カートリッジ。
（２）  前記ＲＦＩＤタグのデータ交信面の傾斜角を、感光性記録媒体用カートリッジの装置への挿入方向に対して４５°に設定したことを特徴とする上記（１）に記載の感光性記録媒体用カートリッジ。
（３）  ディスク状の感光性記録媒体を上側シェル及び下側シェルにより挟み込むようにして回転自在に収容するカートリッジ本体と、このカートリッジ本体に設けられて感光性記録媒体を外部に露呈させる開口と、この開口を閉じる閉じ位置と開放する開き位置との間で移動自在となるように該カートリッジ本体に取り付けられているシャッタとを備えた感光性記録媒体用カートリッジに記録再生を行う記録再生装置であって、前記カートリッジ本体のディスク収容部の外周部位で、前記カートリッジ本体内に、前記感光性記録媒体用カートリッジの装置への挿入方向に対してデータ交信面を傾斜させた姿勢で装備されたＲＦＩＤタグに対して情報の読み書きを行う情報交換部を備えたことを特徴とする記録再生装置。
（４）  ディスク状の感光性記録媒体を上側シェル及び下側シェルにより挟み込むようにして回転自在に収容するカートリッジ本体と、このカートリッジ本体に設けられて感光性記録媒体を外部に露呈させる開口と、この開口を閉じる閉じ位置と開放する開き位置との間で移動自在となるように該カートリッジ本体に取り付けられているシャッタとを備えた感光性記録媒体用カートリッジに記録再生を行う記録再生方法であって、前記カートリッジ本体のディスク収容部の外周部位で、前記カートリッジ本体内に、前記感光性記録媒体用カートリッジの装置への挿入方向に対してデータ交信面を傾斜させた姿勢で装備されたＲＦＩＤタグに対して情報の読み書きを行うことを特徴とする記録再生方法。
（５）  ディスク状の感光性記録媒体を上側シェル及び下側シェルにより挟み込むようにして回転自在に収容するカートリッジ本体と、このカートリッジ本体に設けられて感光性記録媒体を外部に露呈させる開口と、この開口を閉じる閉じ位置と開放する開き位置との間で移動自在となるように該カートリッジ本体に取り付けられているシャッタとを備えた感光性記録媒体用カートリッジに記録再生を行う記録再生システムであって、前記カートリッジ本体のディスク収容部の外周部位で、前記カートリッジ本体内に、前記感光性記録媒体用カートリッジの装置への挿入方向に対してデータ交信面を傾斜させた姿勢で装備されたＲＦＩＤタグに対して情報の読み書きを行うことを特徴とする記録再生システム。
【００１４】
上記構成によれば、流通上或いはライブラリー上での管理に使用される識別情報は、無線通信でデータの読み書きが可能なＲＦＩＤタグに格納される。ＲＦＩＤタグは、既存のバーコードと比較すると遙かにコンパクト化することができるため、装着のために大きな占有スペースを確保する必要がなくなり、厚さ寸法が数ミリメートルの薄型の矩形箱であるカートリッジ本体でも、厚さ寸法の範囲内に簡単に収めることができる。従って、識別情報を格納したＲＦＩＤタグの装備位置がカートリッジの表面又は裏面に制限されずに比較的自由に選定でき、識別情報の装備のために包装容器等のパッケージデザインの自由度が低下することがない。
【００１５】
また、ＲＦＩＤタグからは、無線通信による交信でカートリッジに非接触に識別情報の読み取りができ、例えば、ＲＦＩＤタグのデータ交信面を装置への挿入方向側の側端面に向けておけば、多数のカートリッジが互いに表裏面を重ねた状態に整列収容されている状態でも、ＲＦＩＤ管理システムの読み取り器を交信許容距離内でカートリッジの側端面に向けるだけで、識別情報の読み取りができる。
従って、多数のカートリッジ２が互いの表裏面が重なる状態に整列収容されているとき、カートリッジを整列位置から一つずつ取り出さなくとも、簡単に識別情報の読み取りができて、識別情報の読み取り時の作業性が向上する。
【００１６】
また、識別情報を格納したＲＦＩＤタグは、カートリッジ本体内に収容されていて表面に露出していないため、カートリッジの表面に貼付されるバーコードのシールの場合と異なり、取扱中の擦れ等に起因したシールの剥離によって識別情報を途中で紛失することがなく、識別情報の読み取りが頻繁に繰り返される用途でも、識別情報の維持に高い信頼性を確保できる。
【００１７】
また、ＲＦＩＤタグに格納された識別情報は、無線通信による交信によって非接触に読み出しできるため、識別情報の読み出しのためにカートリッジへの接触回数が増えることがない。従って、不用意な接触による衝撃等でカートリッジが汚損したり、或いは、カートリッジに装備されたシャッタが動いて、カートリッジの遮光性能や防塵性能に悪影響を及ぼすことが回避される。即ち、識別情報の読み出しのためにカートリッジが汚損したりカートリッジの遮光性能や防塵性能が低下することもなく、カートリッジに付与した識別情報を活用して、流通上或いはライブラリー上での管理が容易にできる。
【００１８】
また、ＲＦＩＤタグをカートリッジ本体に備えていることで、データ交信面への電波の入射角が許容範囲内であれば、データ交信面の真正面で無くとも正常にデータの交信ができる。従って、上記構成のように、ＲＦＩＤタグのデータ交信面をカートリッジの装置への挿入方向に対して傾斜させた構成では、装置への挿入方向の他に、例えば挿入方向と直交する方向からも識別情報の読み出しが可能になり、カートリッジが装着される装置側にＲＦＩＤタグへの交信用の通信手段を装備する場合、通信手段の設置自由度が向上し、通信手段の配備が容易になる。
【００１９】
上記の感光性記録媒体用カートリッジにおいて、ＲＦＩＤタグのデータ交信面の傾斜角を、感光性記録媒体用カートリッジの装置への挿入方向に対して４５°に設定した構成とすると、カートリッジが装着される装置側にＲＦＩＤタグへの交信用の通信手段を装備する場合に、カートリッジ２に対して装置への挿入方向に対向する位置、及び挿入方向に直交する方向に対向する位置の何れからも、同一の感度で識別情報の読み出しが可能になり、装置側での通信手段の設置位置の変更に起因する交信感度の低下を防止することができる。
【発明の効果】
【００２０】
本発明に係る感光性記録媒体用カートリッジでは、識別情報がカートリッジ本体の内部に装備されたＲＦＩＤタグに記録でき、感光性記録媒体用カートリッジに対して非接触で、識別情報の読み取りが可能になる。このため、識別情報の読み取りのために不用意にカートリッジの接触することが無くなり、接触時の衝撃等でカートリッジ本体に装備されたシャッタを動かしたり汚損したりすることがなくなる。従って、感光性記録媒体用カートリッジの遮光性能や防塵性能に影響を与えずに、流通上或いはライブラリー上での管理を容易にすることができる。また、カートリッジ本体にＲＦＩＤタグを備えているため、データ交信面への電波の入射角が許容範囲内であれば、データ交信面の真正面で無くとも正常にデータの交信ができる。従って、上記構成のように、ＲＦＩＤタグのデータ交信面をカートリッジの装置への挿入方向に対して傾斜させた構成では、装置への挿入方向の他に、例えば挿入方向と直交する方向からも識別情報の読み出しが可能になり、カートリッジが装着される装置側にＲＦＩＤタグへの交信用の通信手段を装備する場合、通信手段の設置自由度が向上し、通信手段の配備が容易になる。
【発明を実施するための最良の形態】
【００２１】
以下、本発明に係る感光性記録媒体用カートリッジ（以下、カートリッジと省略する）の好適な実施の形態について、図面を参照して詳細に説明する。
図１〜図３は本発明の一実施の形態のカートリッジの外観形状を示す斜視図、図４は図１に示したカートリッジの構成を示す分解斜視図、図５は図１に示したカートリッジ本体の構成を示す分解斜視図、図６は図１に示したカートリッジ装填方向Ａに沿って切断した断面図、図７は図１に示したカートリッジ装填方向Ａに直交する方向に切断した断面図である。
【００２２】
この一実施の形態のカートリッジ２は、内部に設けられたディスク収容部３に、感光性記録媒体である円板形状のホログラム記録媒体（以下、記録ディスクと称する）４を回転自在に収容したホログラム記録媒体用カートリッジである。記録ディスク４は、常にカートリッジ２に収容された状態で取り扱われる。
【００２３】
記録ディスク４は、中心部に穴をあけてディスク状にしたものであり、両面に感光性材料からなるホログラム記録層が設けられた感光性記録媒体である。このホログラム記録層には、例えば、緑色５３２nm〜青色４０５nmの波長域のレーザ光により、データがレーザ光の干渉縞として多層記録される。なお、記録ディスク４の穴部に補強材を付加してもよい。
【００２４】
カートリッジ２の上面及び下面には、ディスク収容部３に収容した記録ディスク４を外部に露呈させる開口７，８が形成されている。これら開口７，８は、常態ではカートリッジ２の外側に移動自在に設けられたシャッタ１０によって閉じられており、シャッタ１０が矢印Ｂ方向の開き位置に向けて移動されることにより開放される。シャッタ１０は、バネによって閉じ位置である矢印Ｃ方向に付勢されており、独立して動作するようにカートリッジ２の両面にそれぞれ設けられたロック機構１１，１２によって閉じ位置でロックされている。そのため、カートリッジ２に対する振動や衝撃等によってシャッタ１０が移動し、開口７，８が不用意に開放されることはない。
【００２５】
カートリッジ２は、記録ディスク４にデータの記録や再生を行う記録再生装置に設けられたカートリッジスロットに対し、装填方向Ａから挿入される。記録再生装置に装填されたカートリッジ２は、両端に設けられた位置決め穴１５によって位置決めされ、シャッタ１０が開き位置に移動されて開口７，８が開放される。例えば、図１に示す状態でカートリッジ２が装置に装填された場合には、下面の開口８から装置のピックアップ部がカートリッジ２内に挿入され、記録ディスク４の下面のホログラム記録層に対しデータが記録または再生される。また、図２に示すように、カートリッジ２を裏返して装置に装填した場合には、下面に配置される開口７からピックアップ部が挿入され、図１における記録ディスク４の上面のホログラム記録層にデータが記録または再生される。
【００２６】
記録再生装置内には、カートリッジ２のロック機構１１，１２を解除するロック解除機構と、シャッタ１０を閉じ位置と開き位置との間で移動させるシャッタ開閉機構とが組み込まれている。図３に示すように、ロック解除機構は、装置内で解除冶具１８，１９を軸方向に移動させ、カートリッジ２の両面にそれぞれ設けられたロック機構１１，１２の解除用係合部２０，２１に該治具１８，１９をそれぞれ係合させる。解除用係合部２０，２１は、例えば三叉形状になっており、解除治具１８，１９はこの解除用係合部２０，２１に対して容易に係合可能なように、３本の係合ピン２３を有している。
【００２７】
解除治具１８，１９が解除用係合部２０，２１に係合し、それぞれ反時計方向に回転されると各ロック機構１１，１２が解除される。次いで、シャッタ開閉機構がシャッタ１０の側面に形成された穴１０ａに駆動用のピンを挿入し、かつ開き方向Ｂに移動させる。これにより、シャッタ１０がスライド移動され、図７（Ｂ）に示すように、カートリッジ２の両面の開口７，８が開放される。
【００２８】
図４は、カートリッジ２の構成を示す分解斜視図である。カートリッジ２は、記録ディスク４を回転自在に収容するカートリッジ本体２５と、このカートリッジ本体２５の両面の開口７，８を外側から開閉するシャッタ１０と、カートリッジ本体２５に組み込まれるロック機構１１，１２とからなる。なお、ロック機構１２は、ロック機構１１と面対称で同じ構成及び構造であるため、図示及び詳しい説明は省略する。
【００２９】
図５に示すように、カートリッジ本体２５は、略板状の下側シェル３０と、この下側シェル３０の上面に接合される上側シェル３１とから構成されている。下側３０と上側シェル３１は、遮光性物質と滑剤とが添加された同一または類似の熱可塑性プラスチックによって形成されている。なお、本実施形態では、第１シェルとして下側シェル３０を、第２シェルとして上側シェル３１をそれぞれ対応させているが、逆にしてもよい。
【００３０】
上記遮光性物質として様々な物質を添加することができるが、使用する遮光性物質に応じて、例えば、０．０１〜５．００重量％を添加することが好ましい。また、上記遮光性物質として、例えば、カーボンブラックを用いることができる。カーボンブラックの添加量としては、０．０１〜２．００重量％が好ましい。添加量が０．０１重量％を超えると、遮光性及び物理強度の向上という効果が表れるが、２．００重量％を超えると物理強度が低下するためである。
【００３１】
上記滑剤として、例えば、シリコーン系滑剤を用いることができる。このシリコーン系滑剤の添加により摩擦抵抗が低減するため、シャッタ１０の移動による削り屑の発生を少なくすることができる。また、輸送時の衝撃で記録ディスク４とカートリッジ２の内壁とが接触した場合の削り屑の発生も低減することができる。さらに、機器への挿入性能の取り扱い性が向上する。また、流動性が向上するため、成形時の混練性、射出成形等の加工性も向上する。
【００３２】
なお、シリコーン系滑剤の添加量としては、０．１〜３．０重量％が好ましい。０．１重量％以下では効果が少なく、３．０重量％以上では、流動性がよくなりすぎて混練、成形時にスクリューと樹脂とに滑りが生じて、加工性が悪化し、製品表面にブリードアウトして記録ディスク４や使用者の手などに付着し、取り扱い性、外観性で不具合を生じることがあるためである。なお、共重合シリコーンを使用する場合には、上記不具合は生じにくくなるため、５．０重量％まで添加することが可能である。
【００３３】
下側シェル３０の内面には、図５に示すように、記録ディスク４が収容される略円形のディスク収容部３と、このディスク収容部３の周囲を取り囲むように突条状に設けられた第１の凹部３４と、端縁全周に設けられた第２の凹部３５と、位置決め穴１５の周囲を取り囲む遮光壁３６と、シャッタ１０のバネを収納するスペースとなる切欠部３７とが設けられている。切欠部３７内には、シャッタ１０のバネの一端が掛けられるバネ掛け片３８が一体に設けられている。
【００３４】
また、本実施の形態のカートリッジ２の場合、図４及び図５に示すように、カートリッジ本体２５内に、カートリッジ２の装置への挿入方向Ａに対してデータ交信面１００ａを傾斜させた姿勢でＲＦＩＤタグ１００を装備している。
このＲＦＩＤタグ１００は、縦×横の寸法が例えば４×１０ｍｍ以下の薄肉のラベル型又はカード型の無線ＩＣチップで、自身の識別コード及び記録ディスク４に保存されたデータの表題等の流通上或いはライブラリー上での管理に使用される識別情報を記憶可能で、記憶した情報は電波や電磁波で管理システムの読み取り器と送受信する能力を持つ。
【００３５】
また、本実施の形態のＲＦＩＤタグ１００は、管理システムの読み取り器側からの非接触電力伝送技術により、電池を持たずに半永久的に利用可能なタイプが使用されている。また、できるだけ小型のものが望ましく、例えば、通信周波数帯がマイクロ波(2.45GHz)域で、通信距離は数ｍｍ程度から数ｃｍ程度のものが使用される。
【００３６】
本実施の形態の場合、ＲＦＩＤタグ１００は、図８に示すように、下側シェル３０の内面に一体形成されたタグ支持部１０１の傾斜した頂面に、接着剤により固定されている。
タグ支持部１０１の装備位置は、ディスク収容部３の外周部位で、詳しくは、第１の凹部３４と第２の凹部３５との間の余空間内である。
また、本実施の形態の場合、ＲＦＩＤタグ１００のデータ交信面１００ａの傾斜角θを、カートリッジ２の装置への挿入方向Ａに対して４５°に設定している。
【００３７】
また、上側シェル３１の内面には、下側シェル３０のディスク収容部３の上面を構成する上面部４１と、下側シェル３０の第１の凹部３４内に挿入される第１の凸部４２と、第２の凹部３５内に挿入される第２の凸部４３と、位置決め穴１５の周囲に取り囲むように設けられて遮光壁３６内に挿入される遮光壁４４とが設けられている。
【００３８】
ディスク収容部３に記録ディスク４を乗せ、上側シェル３１を下側シェル３０の上面に重ね合わせると、第１の凸部４２が第１の凹部３４内に嵌合される。図６のＤ矢印部の拡大図である図９に示すように、第１の凹部３４内に嵌合された第１の凸部４２の先端４２ａが下側シェル３０の内面３０ａに対面し、その先端４３ａが下側シェル３０の内面３０ａに当接することにより、嵌合構造が形成される。
【００３９】
ディスク収容部３の外周は、ラビリンス状の遮光構造によって取り囲まれるため、下側シェル３０及び上側シェル３１の合わせ目から光や塵芥がディスク収容部３内に進入することはない。また、図１０の断面図に示すように、位置決め穴１５の外周も、二つの遮光壁３６、４４の嵌合によりラビリンス状の遮光構造が形成されるため、位置決め穴１５から光や塵芥が進入することはない。更に、位置決め穴１５は、第１の凹部３４及び第１の凸部４２からなる遮光構造の外側に配置されるため、ディスク収容部３の遮光性及び防塵性に影響はない。
【００４０】
上側シェル３１の第２の凸部４３は、超音波溶着によって下側シェル３０の内面３０ａに固着される。これにより、下側シェル３０と上側シェル３１とが強固に接合されるため、両者の合わせ目に隙間が開くようなことはない。また、超音波溶着を行うと、プラスチック粉が周囲に飛散する場合があるが、第２の凹部３５内で行うことにより飛散を最小限にし、記録ディスク４の汚損を防止することができる。
【００４１】
カートリッジ本体２５にシャッタ１０やロック機構１１等を組み込んだ後で、下側シェル３０と上側シェル３１とを超音波溶着すると、シャッタ１０等の他の部品も一緒に溶着されることがある。これを防止するためには、シャッタ１０等の他の部品の材質には、下側シェル３０及び上側シェル３１とは異なる種類のプラスチックを用いるとよい。
【００４２】
下側シェル３０と上側シェル３１との超音波溶着による接合をより確実に行うには、図１１に示すように、第２の凸部４３の先端４３ａに突起状のエネルギーダイレクタ４７を設けるとよい。エネルギーダイレクタ４７を設けて超音波溶着を行うと、超音波のエネルギーがエネルギーダイレクタ４７に集中するため、第２の凸部４３と下側シェル３０とをより強固に溶着することができる。なお、下側シェル３０と上側シェル３１との間の超音波溶着は、第２の凸部４３の全周で行ってもよいし、一定間隔でスポット的に行ってもよい。
【００４３】
シャッタ１０は、下側シェル３０及び上側シェル３１とは種類の異なるプラスチックにより形成されている。このプラスチックには、下側シェル３０及び上側シェル３１の成形に用いたプラスチックと同様に、遮光性物質と滑剤とを添加してもよい。
図１２に示すように、シャッタ１０は、カートリッジ本体２５の装填方向Ａ側の側面に配置されるベース部５０と、カートリッジ本体２５の上下面を挟み込むようにベース部５０に一体に形成される下側シャッタ板５１及び上側シャッタ板５２とからなる。ベース部５０の内面には、シャッタバネ５４の一端が掛けられるバネ掛け片５６が一体に設けられている。シャッタバネ５４の他端は、下側シェル３０のバネ掛け片３８に掛けられて切欠部３７に収納され、シャッタ１０を閉じ位置に向けて付勢する。
【００４４】
下側シェル３０及び上側シェル３１の各外面には、各シャッタ板５１、５２の閉じ方向Ｃの側端縁５１ａ、５２ａを収納するスリット６０、６１と、装填方向Ａの後端縁５１ｂ、５２ｂを収納するスリット６２、６３（図１及び図２参照）とがそれぞれ形成されている。また、各シャッタ板５１，５２には、図７に示したように、開口７，８を開閉するようにスライド移動する第１遮光板部５１ｃ、５２ｃと、第１遮光板部５１ｃ、５２ｃのシャッタ１０を開く方向に移動する側の先端に、垂直に立設された第２遮光板部５１ｄ、５２ｄと、第２遮光板部５１ｄ、５２ｄに対してシャッタ１０が閉じる方向に垂直に立設された第３遮光板部５１ｅ、５２ｅが形成されている。各シャッタ板５１，５２の開き方向Ｂの側端縁は、開閉方向の断面で、略コ字形状の屈曲部として機能している。
下側シェル３０及び上側シェル３１上の各シャッタ板５１，５２の開き方向Ｂの側端縁と対向する位置には、図７に示すように、シャッタ１０が閉じ位置にあるときに、第１遮光板部５１ｃ、５２ｃと第３遮光板部５１ｅ，５２ｅの間に挿入される突条６５，６６がそれぞれ形成されている。
【００４５】
シャッタ１０が閉じ位置にあるとき、各シャッタ板５１，５２の端縁５１ａ、５１ｂ及び５２ａ、５２ｂが各シェル３０，３１のスリット６０，６２及び６１，６３に挿入され、各シェル３０，３１に設けられた突条６５，６６が各シャッタ板５１，５２の第１遮光板部５１ｃ、５２ｃと第３遮光板部５１ｅ，５２ｅの間に入り込む。これにより、カートリッジ本体２５とシャッタ１０との間もラビリンス状の遮光構造によって取り囲まれるため、カートリッジ本体２５とシャッタ１０との隙間から光や塵芥が進入するのを効果的に防止することができる。
【００４６】
図６に示すように、シャッタ１０の各シャッタ板５１，５２の内面には、ガイド突起５１ｆ、５２ｆが形成されており、各シェル３０，３１の外面には、ガイド突起５１ｆ、５２ｆが挿入されるガイド溝７０，７１が形成されている。シャッタ１０がカートリッジ本体２５の外面上で移動する際に、これらガイド突起５１ｆ、５２ｆがガイド溝７０、７１内で移動する。これにより、シャッタ１０はカートリッジ本体２５から外れることなく、スムーズに移動することができようになる。なお、下側シェル３０及び上側シェル３１とシャッタ１０は、原材料のプラスチックに滑剤が添加されているため、シャッタ１０の移動時の摩擦によって削り屑等が発生することはない。
【００４７】
図４及び図１３に示すように、上側シェル３１に組み込まれたロック機構１１は、上側シェル３１の外面に形成されてスリット６１につなげられたロック機構用凹部７５と、この凹部７５内に組み込まれるロックレバー７６及びロックバネ７７と、ロック機構用凹部７５を塞ぐ板状のロックカバー７８とからなる。このロック機構１１は、シャッタ１０の上側シャッタ板５２に一体に形成された被係合爪５２ｇにロックレバー７６を係合させることにより、シャッタ１０を閉じ位置でロックする。
【００４８】
ロックレバー７６には、被係合爪５２ｇに係合する係合爪７６ａと、ロック機構用凹部７５内に形成された穴７５ａに回転自在に挿入される軸部７６ｂと、前述の三叉形状の解除用係合部２０とが一体に設けられている。ロックバネ７７は捩じりバネからなり、軸部７６ｂに挿入されて一端がロックレバー７６に掛けられ、他端がロック機構用凹部７５の内壁面に当接されることによりロックレバー７６を図中時計方向に向けて付勢する。解除用係合部２０は、ロックカバー７８に形成された穴７８ａにより外部に突出しないように露呈される。ロック機構用凹部７５内の符号７５ｂは、ロックバネ７７によって付勢されたロックレバー７６を受け止めて、被係合爪５２ｇに係合する係合位置に保持する保持片である。
【００４９】
下側シェル３０に組み込まれたロック機構１２は、下側シェル３０の外面に形成されてスリット６０につなげられたロック機構用凹部８０と、この凹部８０内に組み込まれるロックレバー８１及びロックバネ８２と、ロック機構用凹部８０を塞ぐ板状のロックカバー８３とからなる。このロック機構１２は、シャッタ１０の下側シャッタ板５１に一体に形成された被係合爪５１ｇにロックレバー８１を係合させることにより、シャッタ１０を閉じ位置でロックする。なお、ロックレバー１２の各部品は、ロックレバー１１と同様の構成からなるため、詳しい説明は省略する。
【００５０】
以上に説明したカートリッジ２では、流通上或いはライブラリー上での管理に使用される識別情報は、無線通信でデータの読み書きが可能なＲＦＩＤタグ１００に格納される。
【００５１】
本発明に係る記録再生装置は、カートリッジ本体２５のディスク収容部の外周部位で、カートリッジ本体２５内に、感光性記録媒体用カートリッジ２の装置への挿入方向に対してデータ交信面１００ａを傾斜させた姿勢で装備されたＲＦＩＤタグ１００に対して情報の読み書きを行う情報交換部を備えている構成である。
【００５２】
ＲＦＩＤタグ１００は、既存のバーコードと比較すると遙かにコンパクト化することができるため、装着のために大きな占有スペースを確保する必要がなくなり、厚さ寸法が数ミリメートルの薄型の矩形箱であるカートリッジ本体２５でも、カートリッジ本体２５の厚さ寸法の範囲内に簡単に収めることができる。
従って、識別情報を格納したＲＦＩＤタグ１００の装備位置がカートリッジ２の表面又は裏面に制限されずに比較的自由に選定でき、識別情報の装備のために包装容器等のパッケージデザインの自由度が低下することがない。
【００５３】
また、ＲＦＩＤタグ１００からは、無線通信による交信でカートリッジ２に非接触に識別情報の読み取りができ、例えば、ＲＦＩＤタグ１００のデータ交信面１００ａを装置への挿入方向Ａ側の側端面に向けておけば、図１４に示したように、多数のカートリッジ２が互いに表裏面を重ねた状態に整列収容されている状態でも、ＲＦＩＤ管理システムの読み取り器を交信許容距離内でカートリッジ２の側端面に向けるだけで、識別情報の読み取りができる。
従って、多数のカートリッジ２が互いの表裏面が重なる状態に整列収容されているとき、カートリッジ２を整列位置から一つずつ取り出さなくとも、簡単に識別情報の読み取りができて、識別情報の読み取り時の作業性が向上する。
【００５４】
また、識別情報を格納したＲＦＩＤタグ１００は、カートリッジ本体２５内に収容されていて表面に露出していないため、カートリッジの表面に貼付されるバーコードのシールの場合と異なり、取扱中の擦れ等に起因したシールの剥離によって識別情報を途中で紛失することがなく、識別情報の読み取りが頻繁に繰り返される用途でも、識別情報の維持に高い信頼性を確保できる。
【００５５】
また、ＲＦＩＤタグ１００に格納された識別情報は、無線通信による交信によって非接触に読み出しできるため、識別情報の読み出しのためにカートリッジ２への接触回数が増えることがない。従って、不用意な接触による衝撃等でカートリッジ２が汚損したり、或いは、カートリッジ２に装備されたシャッタ１０が動いて、カートリッジ２の遮光性能や防塵性能に悪影響を及ぼすことが回避される。こうすれば、識別情報の読み出しのためにカートリッジ２が汚損したりカートリッジ２の遮光性能や防塵性能が低下することもなく、カートリッジ２に付与した識別情報を活用して、流通上或いはライブラリー上での管理が容易にできる。
【００５６】
ＲＦＩＤタグ１００は、データ交信面１００ａへの電波の入射角が許容範囲内であれば、データ交信面１００ａの真正面で無くとも正常にデータの交信ができる。従って、上記構成のように、ＲＦＩＤタグ１００のデータ交信面１００ａをカートリッジ２の装置への挿入方向に対して傾斜させた構成では、図１４に矢印Ｙで示す装置への挿入方向の他に、例えば挿入方向Ｙと直交する方向Ｚからも識別情報の読み出しが可能になり、カートリッジ２が装着される装置側にＲＦＩＤタグ１００への交信用の通信手段を装備する場合、通信手段の設置自由度が向上し、通信手段の配備が容易になる。
【００５７】
図１５は、多数のカートリッジ２が一平面状に敷き並べられて収容された状態を示す。このように収容された場合は、図の矢印Ｚ方向からデータ交信面１００ａに交信用の電波を当てることで、識別情報を問題なく読み出すことができる。
【００５８】
なお、本実施の形態の場合は、ＲＦＩＤタグ１００のデータ交信面１００ａの傾斜角θを、カートリッジ２の装置への挿入方向Ａに対して４５°に設定している。
そのため、カートリッジ２が装着される装置側にＲＦＩＤタグ１００への交信用の通信手段を装備する場合に、カートリッジ２に対して装置への挿入方向に対向する位置、及び挿入方向に直交する方向に対向する位置の何れからも、同一の感度で識別情報の読み出しが可能になり、装置側での通信手段の設置位置の変更に起因する交信感度の低下を防止することができる。
【図面の簡単な説明】
【００５９】
【図１】本発明の一実施の形態のカートリッジの外観を示す斜視図である。
【図２】図１に示したカートリッジの裏面側の外観形状を示す斜視図である。
【図３】図１に示したカートリッジのシャッタ開放状態を示す外観斜視図である。
【図４】図１に示したカートリッジの構成を示す分解斜視図である。
【図５】図１に示したカートリッジ本体の構成を示す分解斜視図である。
【図６】図１に示したカートリッジ装填方向の断面図である。
【図７】図１に示したカートリッジの装填方向に直交する方向の断面図である。
【図８】図１のＸ−Ｘ断面図である。
【図９】図１に示したカートリッジの凸部及び凹部からなる遮光構造を示す断面図である。
【図１０】図１に示したカートリッジの位置決め穴の遮光構造を示す断面図である。
【図１１】図１に示したカートリッジのエネルギーダイレクタを設けた遮光構造の断面図である。
【図１２】図１に示したカートリッジのシャッタの構成を示す分解斜視図である。
【図１３】図１に示したカートリッジのロック機構の構成を示す要部断面図である。
【図１４】複数枚のカートリッジが互いの表裏面を重ねて整列収容された状態の斜視図である。
【図１５】複数枚のカートリッジが一平面上に敷き並べるように整列収容された状態の斜視図である。
【符号の説明】
【００６０】
２  カートリッジ（感光性記録媒体用カートリッジ）
３  ディスク収容部
４  記録ディスク（ホログラム記録媒体）
７，８  開口
１０  シャッタ
２５  カートリッジ本体
３０  下側シェル
３１  上側シェル
１００  ＲＦＩＤタグ
１００ａ  データ交信面
【図１】
2007087477.tif 000003
【図２】
2007087477.tif 000004
【図３】
2007087477.tif 000005
【図４】
2007087477.tif 000006
【図５】
2007087477.tif 000007
【図６】
2007087477.tif 000008
【図７】
2007087477.tif 000009
【図８】
2007087477.tif 000010
【図９】
2007087477.tif 000011
【図１０】
2007087477.tif 000012
【図１１】
2007087477.tif 000013
【図１２】
2007087477.tif 000014
【図１３】
2007087477.tif 000015
【図１４】
2007087477.tif 000016
【図１５】
2007087477.tif 000017